(57)【要約】【課題】とくに連続番号を印字する際に、連続番号の見出し数字１９の桁上げを自動的に行って、作業者が桁上げの操作を意識しなくてもよいようにした印字器および印字用連続番号見出し数字選択方法を提供すること。【解決手段】下位から上位に桁上げする際のみに下位桁（第一桁）の見出し輪３２と上位桁（第二桁）の見出し輪３２Ａとが一緒に連れ回るように機械的に一体化させることに着目し、フレーム内壁面１４Ａに形成した桁上げ下げ用突出台部３１と、第一桁の見出し輪３２の選択回転にともなって桁上げ下げ用突出台部３１に対向可能な連回り連結機構３３と、を有し、連回り連結機構３３に対向可能なように第二桁の見出し輪３２Ａの側面に周方向連結凹部３４を設け、周方向連結凹部３４が連回り連結機構３３と連結した状態においてのみ、第一桁の見出し輪３２と第二桁の見出し輪３２Ａとを一体的に連れ回り可能としていることを特徴とする。【選択図】図１
2013151146.tif 000002
【特許請求の範囲】
【請求項１】
印字器フレームと、
この印字器フレームに組み込んでいるとともに各列において互いに係合している見出し輪および活字輪と、
前記各列においてこの見出し輪を回転して所望の見出し数字を選択可能な選択摘みと、を有する印字器であって、
前記印字器フレームが第一桁の前記見出し輪に対向するそのフレーム内壁面に形成した桁上げ下げ用突出台部と、
前記第一桁の前記見出し輪の軸方向に貫通する貫通軸室内に設けるとともに、前記選択摘みによる前記第一桁の前記見出し輪の選択回転にともなってこの桁上げ下げ用突出台部に対向可能な連回り連結機構と、を有し、
この連回り連結機構に対向可能なように第二桁の前記見出し輪の側面に周方向連結凹部を設け、
この周方向連結凹部が前記連回り連結機構と連結した状態においてのみ、前記第一桁の前記見出し輪と前記第二桁の前記見出し輪とを一体的に連れ回り可能としていることを特徴とする印字器。
【請求項２】
前記桁上げ下げ用突出台部は、前記見出し輪の円周部に設けている見出し用数字の「９」から「０」に移行する側面部位に対向する前記フレーム内壁面にこれを設けることを特徴とする請求項１記載の印字器。
【請求項３】
前記連回り連結機構は、
前記貫通軸室内において、前記第一桁の前記見出し輪のフレーム側側面に位置しているとともに、前記見出し輪が桁上げ下げ移行時に前記桁上げ下げ用突出台部に対向可能な第１の往復動軸と、
前記貫通軸室内において、前記第一桁の前記見出し輪の第二桁側側面に位置してこの第１の往復動軸と互いに往復動可能に係合する第２の往復動軸と、
この第２の往復動軸と前記第１の往復動軸との間に設けた第１の付勢部材と、
前記第１の往復動軸と、前記第２の往復動軸が前記貫通軸室内において係合停止する軸停止用突条と、の間に設けた第２の付勢部材と、を有することを特徴とする請求項１または２記載の印字器。
【請求項４】
前記第１の往復動軸と前記第２の往復動軸とは、それぞれの内方端部が、互いからの離反方向において互いに係合していることを特徴とする請求項３記載の印字器。
【請求項５】
前記第１の往復動軸は、前記桁上げ下げ用突出台部に当接する当接端面部材と、前記貫通軸室内においてこの当接端面部材の内方に位置する第１の軸部と、この第１の軸部の端部に位置する第１の軸係合部と、を有し、
前記第２の往復動軸は、この第１の軸係合部に係合する第２の軸係合部と、前記周方向連結凹部に係脱可能な連結端面部材と、この連結端面部材を前記第２の軸係合部と一体化する第２の軸部と、を有することを特徴とする請求項３または４記載の印字器。
【請求項６】
前記周方向連結凹部は、前記第二桁の前記見出し輪の、前記第一桁の前記見出し輪側の側面において、前記連回り連結機構に係脱するようにその複数個を等角度間隔で形成していることを特徴とする請求項１ないし５のいずれかに記載の印字器。
【請求項７】
印字器フレームと、
この印字器フレームに組み込んでいるとともに各列において互いに係合している見出し輪および活字輪と、
前記各列においてこの見出し輪を回転して所望の見出し数字を選択可能な選択摘みと、を有する印字器による印字用連続番号見出し数字選択方法であって、
前記印字器フレームが第一桁の前記見出し輪に対向するそのフレーム内壁面に形成した桁上げ下げ用突出台部と、
前記第一桁の前記見出し輪の軸方向に貫通する貫通軸室内に設けるとともに、前記選択摘みによる前記第一桁の前記見出し輪の選択回転にともなってこの桁上げ下げ用突出台部に対向可能な連回り連結機構と、を設けるとともに、
この連回り連結機構に対向可能なように第二桁の前記見出し輪の側面に周方向連結凹部を設け、
前記選択摘みにより、前記第一桁の前記見出し輪を回転操作して、前記連回り連結機構を前記桁上げ下げ用突出台部に当接させ、
前記連回り連結機構が前記周方向連結凹部に連結させた状態においてのみ、前記第一桁の前記見出し輪と前記第二桁の前記見出し輪とを一体的に連れ回りさせることを特徴とする印字用連続番号見出し数字選択方法。
【発明の詳細な説明】
【技術分野】
【０００１】
本発明は印字器および印字用連続番号見出し数字選択方法にかかるもので、とくに携帯式ラベル印字貼付け機に装備して連続番号を印字するための印字器および印字用連続番号見出し数字選択方法に関するものである。
【背景技術】
【０００２】
従来からの携帯式ラベル印字貼付け機およびその印字器について、図７ないし図９にもとづき概説する。
図７は、携帯式ラベル印字貼付け機１の概略側面図であって、携帯式ラベル印字貼付け機１は、左右（紙面表裏）一対の側板２と、側板２に一体形成して操作者が握持可能なグリップ３と、グリップ３に対して回動操作可能な操作レバー４と、グリップ３および操作レバー４の間に設けた圧縮スプリング５と、ラベル連続体６の用紙ホルダー７と、印字器８と、インキローラー９と、貼付けローラー１０と、を有する。
【０００３】
ラベル連続体６は、帯状の台紙１１および台紙１１の表面に仮着した複数枚のラベル片１２を有し、これをロール状に巻いて用紙ホルダー７に保持する。
【０００４】
このような構成の携帯式ラベル印字貼付け機１において、操作レバー４およびグリップ３の操作（圧縮スプリング５の付勢力に抗した握持操作およびその解放操作）にともなって、印字器８の活字１３にインキローラー９によりインキを塗布し、移送機構（図示せず）により用紙ホルダー７から印字器８方向にラベル連続体６を帯状に繰り出し、剥離機構（図示せず）において台紙１１からラベル片１２を剥離し、貼付けローラー１０によりラベル片１２を被貼付け体（図示せず）に貼り付け可能とする。
【０００５】
図８は、印字器８の平面図、図９は、見出し輪１５および活字輪１６の概略側面図であって、印字器８は、印字器フレーム１４と、印字器フレーム１４に組み込んでいる複数列（図８に示した例では、４列）において互いに係合している見出し輪１５および活字輪１６と、選択摘み１７と、を有する。
さらに、印字器フレーム１４の頂部に形成した選択窓１８において見出し輪１５の見出し数字１９を選択可能である。
【０００６】
具体的には、見出し輪１５の中心軸孔２０には、選択摘み１７の選択軸２１を軸方向に摺動可能に嵌め込んで、任意の列の見出し輪１５を選択可能としている。
すなわち、選択摘み１７の選択軸２１の先端部に選択突起２２を設け、選択摘み１７を正逆方向に回転することにより、選択突起２２が見出し輪１５の所望の見出し数字１９を選択し、この列においてこの見出し数字１９に対応する活字輪１６の活字１３を選択可能としている。
かくして、見出し輪１５の見出し数字１９の選択により、活字輪１６の上記活字１３を選択し、印字器８の最下端面にインキローラー９に対向するように活字１３を位置させることができる。
【０００７】
上述のように、必要な桁数の数字や記号などを印字可能としているが、とくに当該携帯式ラベル印字貼付け機１によって連続番号（いわゆる、連番）を印字する場合には、選択摘み１７により、たとえば見出し数字１９の「１」を選択して活字１３の「１」をセットした状態で、必要な枚数のラベル片１２に印字し、つぎに見出し数字１９の「２」を選択して活字１３の「２」をセットした状態で、ラベル片１２に必要な枚数を印字することを繰り返して行う。
【０００８】
しかしながら、一桁から二桁にわたる連番を印字しようとする際には、選択摘み１７を中心軸孔２０の軸方向に移動して、必要な桁（印字列）を選択し、その桁において選択摘み１７を回転し、選択突起２２による見出し輪１５の見出し数字１９を選択決定する必要がある。
このような操作の途中で、とくに一の位から十の位に移行する際に選択摘み１７を桁上げする操作を忘れるというミスが発生しかねないという問題がある。
【先行技術文献】
【特許文献】
【０００９】
【特許文献１】特開平１０−１４７０４７号公報
【発明の概要】
【発明が解決しようとする課題】
【００１０】
本発明は以上のような諸問題にかんがみなされたもので、とくに連続番号を印字する際に便利な印字器および印字用連続番号見出し数字選択方法を提供することを課題とする。
【００１１】
また本発明は、連続番号の見出し数字を順次選択操作する際に、作業者が桁上げの操作を意識しなくてもよいようにした印字器および印字用連続番号見出し数字選択方法を提供することを課題とする。
【００１２】
また本発明は、連続番号の見出し数字の桁上げを自動的に行うことができるようにした印字器および印字用連続番号見出し数字選択方法を提供することを課題とする。
【００１３】
また本発明は、一の位の数字（見出し数字）の選択を順次行ってゆくことにより、連続番号の見出し数字の桁上げを自動的に行うことができるようにした印字器および印字用連続番号見出し数字選択方法を提供することを課題とする。
【課題を解決するための手段】
【００１４】
すなわち本発明は、下位の位から上位の位に桁上げする際のみに、下位桁（第一桁、一の位）の見出し輪と上位桁（第二桁、十の位）の見出し輪とが一緒に連れ回るように機械的に一体化させることに着目したもので、第一の発明は、印字器フレームと、この印字器フレームに組み込んでいるとともに各列において互いに係合している見出し輪および活字輪と、上記各列においてこの見出し輪を回転して所望の見出し数字を選択可能な選択摘みと、を有する印字器であって、上記印字器フレームが第一桁の上記見出し輪に対向するそのフレーム内壁面に形成した桁上げ下げ用突出台部と、上記第一桁の上記見出し輪の軸方向に貫通する貫通軸室内に設けるとともに、上記選択摘みによる上記第一桁の上記見出し輪の選択回転にともなってこの桁上げ下げ用突出台部に対向可能な連回り連結機構と、を有し、この連回り連結機構に対向可能なように第二桁の上記見出し輪の側面に周方向連結凹部を設け、この周方向連結凹部が上記連回り連結機構と連結した状態においてのみ、上記第一桁の上記見出し輪と上記第二桁の上記見出し輪とを一体的に連れ回り可能としていることを特徴とする印字器である。
【００１５】
第二の発明は、印字器フレームと、この印字器フレームに組み込んでいるとともに各列において互いに係合している見出し輪および活字輪と、上記各列においてこの見出し輪を回転して所望の見出し数字を選択可能な選択摘みと、を有する印字器による印字用連続番号見出し数字選択方法であって、上記印字器フレームが第一桁の上記見出し輪に対向するそのフレーム内壁面に形成した桁上げ下げ用突出台部と、上記第一桁の上記見出し輪の軸方向に貫通する貫通軸室内に設けるとともに、上記選択摘みによる上記第一桁の上記見出し輪の選択回転にともなってこの桁上げ下げ用突出台部に対向可能な連回り連結機構と、を設けるとともに、この連回り連結機構に対向可能なように第二桁の上記見出し輪の側面に周方向連結凹部を設け、上記選択摘みにより、上記第一桁の上記見出し輪を回転操作して、上記連回り連結機構を上記桁上げ下げ用突出台部に当接させ、上記連回り連結機構が上記周方向連結凹部に連結させた状態においてのみ、上記第一桁の上記見出し輪と上記第二桁の上記見出し輪とを一体的に連れ回りさせることを特徴とする印字用連続番号見出し数字選択方法である。
【００１６】
上記桁上げ下げ用突出台部は、上記見出し輪の円周部に設けている見出し用数字の「９」から「０」に移行する側面部位に対向する上記フレーム内壁面にこれを設けることができる。
【００１７】
上記連回り連結機構は、上記貫通軸室内において、上記第一桁の上記見出し輪のフレーム側側面に位置しているとともに、上記見出し輪が桁上げ下げ移行時に上記桁上げ下げ用突出台部に対向可能な第１の往復動軸と、上記貫通軸室内において、上記第一桁の上記見出し輪の第二桁側側面に位置してこの第１の往復動軸と互いに往復動可能に係合する第２の往復動軸と、この第２の往復動軸と上記第１の往復動軸との間に設けた第１の付勢部材と、上記第１の往復動軸と、上記第２の往復動軸が上記貫通軸室内において係合停止する軸停止用突条と、の間に設けた第２の付勢部材と、を有することができる。
【００１８】
上記第１の往復動軸と上記第２の往復動軸とは、それぞれの内方端部が、互いからの離反方向において互いに係合していることができる。
【００１９】
上記第１の往復動軸は、上記桁上げ下げ用突出台部に当接する当接端面部材と、上記貫通軸室内においてこの当接端面部材の内方に位置する第１の軸部と、この第１の軸部の端部に位置する第１の軸係合部と、を有し、上記第２の往復動軸は、この第１の軸係合部に係合する第２の軸係合部と、上記周方向連結凹部に係脱可能な連結端面部材と、この連結端面部材を上記第２の軸係合部と一体化する第２の軸部と、を有することができる。
【００２０】
上記周方向連結凹部は、上記第二桁の上記見出し輪の、上記第一桁の上記見出し輪側の側面において、上記連回り連結機構に係脱するようにその複数個を等角度間隔で形成していることができる。
【発明の効果】
【００２１】
本発明による印字器および印字用連続番号見出し数字選択方法においては、印字器フレームが第一桁の見出し輪に対向するそのフレーム内壁面に形成した桁上げ下げ用突出台部と、この桁上げ下げ用突出台部に対向して見出し輪の貫通軸室内に設けた連回り連結機構と、を有し、この連回り連結機構に対向して第二桁の見出し輪の側面に周方向連結凹部を形成し、この周方向連結凹部が連回り連結機構と連結した状態においてのみ、第一桁の見出し輪と第二桁の見出し輪とを一体的に連れ回り可能としたので、第一桁の見出し輪を回転操作するだけで、第一桁から第二桁への桁上がりの際にも自動的に第二桁の見出し輪を回転操作することが可能となり、選択摘みを桁上げ操作時に操作忘れするという問題を解消可能である。
【００２２】
とくに第一の発明の印字器によれば、連回り連結機構と周方向連結凹部との連結およびその解除の繰返しにより、自動的に桁上げ下げ操作を実現可能であって、選択摘みを各列の軸方向に一々移動セットする必要がない。
【００２３】
とくに第二の発明の印字用連続番号見出し数字選択方法によれば、選択摘みにより、第一桁の見出し輪を回転操作して、連回り連結機構を桁上げ下げ用突出台部に当接させ、さらに、連回り連結機構を周方向連結凹部に連結させた状態においてのみ、第一桁の見出し輪と第二桁の見出し輪とを一体的に連れ回りさせるようにしたので、連続番号を印字する際の見出し数字の選択セットを作業性良好に行うことができる。
【図面の簡単な説明】
【００２４】
【図１】本発明の実施例による印字器３０の概略断面図である。
【図２】同、印字器３０における第一桁の見出し輪３２の斜視図である。
【図３】同、印字器フレーム１４に形成した桁上げ下げ用突出台部３１の説明図であって、図３（１）は、印字器フレーム１４を第一桁の見出し輪３２側から見た正面図、図３（２）は、印字器フレーム１４の側面図である。
【図４】同、連回り連結機構３３と桁上げ下げ用突出台部３１との相対位置関係を示す、第一桁の見出し輪３２側から見た正面図である。
【図５】同、第二桁の見出し輪３２Ａの、第一桁の見出し輪３２側から見た斜視図である。
【図６】同、印字器３０における桁上げ下げ用突出台部３１および連回り連結機構３３の動作を順次説明する断面図であって、図６（１）は、連回り連結機構３３が桁上げ下げ用突出台部３１および周方向連結凹部３４にともに係合していない状態の断面図、図６（２）は、連回り連結機構３３が桁上げ下げ用突出台部３１に係合した状態の断面図、図６（３）は、連回り連結機構３３が桁上げ下げ用突出台部３１および周方向連結凹部３４にともに係合した状態の断面図である。
【図７】従来からの携帯式ラベル印字貼付け機１の概略側面図である。
【図８】同、印字器８の平面図である。
【図９】同、見出し輪１５および活字輪１６の概略側面図である。
【図１０】図２とは反対側である印字器フレーム１４側から第一桁の見出し輪３２を見た斜視図である。
【図１１】図４に溝２３を破線で追加した図である。
【図１２】変形例を示す斜視図であり、図１０と同様な方向から第一桁の見出し輪３２を見た斜視図である。
【発明を実施するための形態】
【００２５】
本発明は、連回り連結機構と周方向連結凹部との連結およびその解除の繰返しにより、自動的に桁上げ下げ操作を実現可能として、作業性良好な印字器および印字用連続番号見出し数字選択方法を実現した。
【実施例】
【００２６】
つぎに本発明の実施例による印字器３０および印字用連続番号見出し数字選択方法を図１ないし図６にもとづき説明する。ただし、図７ないし図９と同様の部分には同一符号を付し、その詳述はこれを省略する。
図１は、上記印字器３０の概略断面図、図２は、印字器３０における第一桁の見出し輪３２の斜視図であって、印字器３０は、前記印字器フレーム１４と、桁上げ下げ用突出台部３１と、見出し輪３２および前記活字輪１６と、前記選択摘み１７と、第一桁（一の位）の見出し輪３２に設けた連回り連結機構３３と、を有するとともに、第二桁（十の位）の見出し輪３２Ａに周方向連結凹部３４（図５も参照）を形成してある。
【００２７】
図３は、印字器フレーム１４に形成した桁上げ下げ用突出台部３１の説明図であって、図３（１）は、印字器フレーム１４を第一桁の見出し輪３２側から見た正面図、図３（２）は、印字器フレーム１４の側面図である。
桁上げ下げ用突出台部３１は、印字器フレーム１４が第一桁の見出し輪３２に対向するそのフレーム内壁面１４Ａに形成しているもので、見出し輪３２の円周部に設けている見出し数字１９の「９」から「０」に移行する側面部位に対向するフレーム内壁面１４Ａに所定長さの円弧状にこれを設けている。
この円弧の長さとしては、見出し数字１９の「０」と「９」との間から、同、「０」と「１」との間にわたる範囲内が望ましい。
【００２８】
とくに図１に示すように、見出し輪３２には、前記中心軸孔２０より半径方向外縁周側においてその軸方向に貫通する貫通軸室３５を形成してあり、選択摘み１７による見出し輪３２の選択回転にともなって桁上げ下げ用突出台部３１に対向可能なように、貫通軸室３５内に上記連回り連結機構３３を設けている。
【００２９】
図４は、連回り連結機構３３と桁上げ下げ用突出台部３１との相対位置関係を示す、第一桁の見出し輪３２側から見た正面図であって、見出し輪３２の円周部に設けている見出し数字１９の「９」から「０」に移行する側面部位の範囲内で、連回り連結機構３３が桁上げ下げ用突出台部３１に対向可能である。
なお、図１において、一点鎖線で示した印字器フレーム１４および桁上げ下げ用突出台部３１は、理解を容易にするために本来の位置よりも第一桁の見出し輪３２から離れた位置に示している。実際は、桁上げ下げ用突出台部３１が当接端面部材４０を貫通軸室３５内に押し込める位置に配置されている（図６参照）。ここで、第一桁の見出し輪３２が桁上げ下げ用突出台部３１と干渉することなく回転可能とするために、第一桁の見出し輪３２には、溝２３が形成されている。
図１０は、図２とは反対側である印字器フレーム１４側から第一桁の見出し輪３２を見た斜視図である。
図１１は、図４に溝２３を破線で追加した図である。
第一桁の見出し輪３２の印字器フレーム１４側には、桁上げ下げ用突出台部３１と対応する位置に、溝２３が貫通軸室３５を除いてリング状に形成されている。よって、第一桁の見出し輪３２は、桁上げ下げ用突出台部３１が当接端面部材４０と当接するとき以外は、桁上げ下げ用突出台部３１と干渉することなく、回転することができる。
【００３０】
とくに図１に示すように、連回り連結機構３３は、第１の往復動軸３６と、第２の往復動軸３７と、第１の付勢部材３８と、第２の付勢部材３９と、を有する。
【００３１】
第１の往復動軸３６は、貫通軸室３５内において、第一桁の見出し輪３２のフレーム側側面に位置しており、第一桁の見出し輪３２および第二桁の見出し輪３２Ａの桁上げ下げ移行時に、この第１の往復動軸３６が桁上げ下げ用突出台部３１に対向可能である。
第１の往復動軸３６は、桁上げ下げ用突出台部３１に当接する大円板状の当接端面部材４０と、貫通軸室３５内において当接端面部材４０の中心軸であってその内方に位置する第１の軸部４１と、第１の軸部４１の端部に位置する小円板状の第１の軸係合部４２と、を有する。
【００３２】
第２の往復動軸３７は、貫通軸室３５内において、第１の往復動軸３６の反対側すなわち、第一桁の見出し輪３２の第二桁側側面に位置している。
第２の往復動軸３７は、第二桁の見出し輪３２Ａにおける上記周方向連結凹部３４に係脱可能な連結端面部材４３と、第２の軸部４４と、第１の軸係合部４２に係合する第２の軸係合部４５と、を有し、第２の軸部４４が連結端面部材４３を第２の軸係合部４５と一体化し、第２の往復動軸３７全体を筒状の部材としている。
【００３３】
第１の往復動軸３６および第２の往復動軸３７は、それぞれの内方端部（第１の軸係合部４２、第２の軸係合部４５）が、互いからの離反方向において互いに係合しており、したがって、第１の往復動軸３６および第２の往復動軸３７は、互いに往復動可能に係合するものである。
なお、第２の軸部４４の外周面には、係合フランジ４６を突出形成している。
【００３４】
第１の付勢部材３８は、第１の往復動軸３６の第２の軸係合部４５と、第２の往復動軸３７の内面側と、の間に設けた圧縮スプリングであり、第１の往復動軸３６が、桁上げ下げ用突出台部３１と係合するにともなって図１中、右方向から左方向に第２の往復動軸３７に接近するように移動してゆく際に、第２の往復動軸３７を左方向に付勢可能として、第２の往復動軸３７の連結端面部材４３を第二桁の見出し輪３２Ａの周方向連結凹部３４に係合可能としている。
【００３５】
第２の付勢部材３９は、第１の往復動軸３６と、第２の往復動軸３７における第２の軸部４４の係合フランジ４６が貫通軸室３５内において係合停止する軸停止用突条４７と、の間に設けた圧縮スプリングである。
第２の往復動軸３７の連結端面部材４３が第二桁の見出し輪３２Ａの周方向連結凹部３４との係合を解除されて、第二桁の見出し輪３２Ａの側面に押し戻される結果、係合フランジ４６が軸停止用突条４７に係合して停止したのちに、この第２の付勢部材３９は、第１の付勢部材３８と協働して、第１の往復動軸３６の当接端面部材４０を図１中、左方向から右方向に桁上げ下げ用突出台部３１に向かって復帰移動させるとともに、第１の軸係合部４２を第２の軸係合部４５に復帰係合させる。
【００３６】
図５は、第二桁の見出し輪３２Ａの、第一桁の見出し輪３２側から見た斜視図であって、周方向連結凹部３４は、連回り連結機構３３に対向して第二桁の見出し輪３２Ａの側面にこれを設けており、周方向連結凹部３４が連回り連結機構３３と連結した状態においてのみ、第一桁の見出し輪３２と第二桁の見出し輪３２Ａとを一体的に連れ回り可能としている。
周方向連結凹部３４は、第二桁の見出し輪３２Ａの、第一桁の見出し輪３２側の側面において、連回り連結機構３３に係脱するようにその複数個（一般的には、１０個）を等角度間隔で形成している。
なお、それぞれの周方向連結凹部３４は、第二桁の見出し輪３２Ａにおけるそれぞれの見出し数字１９の側面部位に位置している。
【００３７】
こうした構成の印字器３０において、選択摘み１７により、第一桁の見出し輪３２を回転操作して、連回り連結機構３３を桁上げ下げ用突出台部３１に当接させ、連回り連結機構３３が周方向連結凹部３４に連結させた状態においてのみ、第一桁の見出し輪３２と第二桁の見出し輪３２Ａとを一体的に連れ回りさせることにより、第一桁の見出し輪３２における見出し数字１９を選択してゆく操作だけで、第二桁への桁上げを行うことができる。
【００３８】
すなわち、図６は、印字器３０における桁上げ下げ用突出台部３１および連回り連結機構３３の動作を順次説明する断面図であって、図６（１）は、連回り連結機構３３が桁上げ下げ用突出台部３１および周方向連結凹部３４にともに係合していない状態の断面図、図６（２）は、連回り連結機構３３が桁上げ下げ用突出台部３１に係合した状態の断面図、図６（３）は、連回り連結機構３３が桁上げ下げ用突出台部３１および周方向連結凹部３４にともに係合した状態の断面図である。
図６（１）に示すように、たとえば、選択摘み１７を中心軸孔２０に沿って軸移動し、その選択突起２２を第一桁（一の位）の見出し輪３２に合わせ、見出し数字１９の「０」から「１」、「２」、・・・と選択して、印字器３０により前記ラベル片１２（図７）に印字してゆく間は、連回り連結機構３３に変化はない。
なお、選択突起２２をはじめから第一桁の見出し輪３２の部分に位置させるように選択軸２１に取り付けておけば、上述の選択摘み１７を中心軸孔２０に沿って軸移動することにより選択突起２２を第一桁（一の位）の見出し輪３２に合わせる操作は不要となる。
【００３９】
ついで、一の位の見出し数字１９の「９」から「１０」に移行する際に、すなわち、一の位が「９」から「０」に、第二桁（十の位）が「０」から「１」に移行する際には、図６（２）に示すように、連回り連結機構３３における第１の往復動軸３６の当接端面部材４０が印字器フレーム１４のフレーム内壁面１４Ａにおける桁上げ下げ用突出台部３１に当接して、第１の付勢部材３８および第２の付勢部材３９の付勢力に抗して当接端面部材４０を図中、左方向に第２の往復動軸３７の連結端面部材４３の方向に押し込む。
【００４０】
この当接端面部材４０の第２の往復動軸３７への押込み動作により、第１の付勢部材３８および第２の付勢部材３９が蓄力されるが、第２の往復動軸３７の連結端面部材４３が周方向連結凹部３４に対向して、連結端面部材４３が周方向連結凹部３４に没入係合するまでは、図６（２）の状態のままである。
【００４１】
図６（３）に示すように、選択摘み１７がさらに回転操作されて連結端面部材４３が周方向連結凹部３４に対向すると、第１の付勢部材３８の蓄力により連結端面部材４３が周方向連結凹部３４に没入係合し、選択摘み１７の回転操作による第一桁の見出し輪３２の回転とともに第二桁の見出し輪３２Ａが連れ回ることになり、見出し輪３２の一の位が「９」から「０」に、第二桁の見出し輪３２Ａの第二桁（十の位）が「０」から「１」に移行する結果、印字器３０の選択窓（見出し窓）１８内における見出し数字１９が二桁数字「１０」に切り替わることになる。
【００４２】
つぎの、見出し数字１９が二桁数字「１１」になるときには、見出し輪３２のさらなる回転により、連回り連結機構３３と桁上げ下げ用突出台部３１との係合が外れる結果、連回り連結機構３３が図６（１）の状態に復帰するので、すなわち、第２の往復動軸３７の連結端面部材４３が第二桁の見出し輪３２Ａの側面により第１の付勢部材３８の付勢力に抗して周方向連結凹部３４から第一桁の見出し輪３２内の貫通軸室３５内に戻って、係合フランジ４６が軸停止用突条４７に当接停止し、第１の付勢部材３８および第２の付勢部材３９の付勢力で第１の往復動軸３６が図６（１）の状態に復帰する。
したがって、選択摘み１７による第一桁の見出し輪３２の回転操作によって連回り連結機構３３が桁上げ下げ用突出台部３１に係合当接することはなく、すなわち、第１の往復動軸３６が桁上げ下げ用突出台部３１に対向しないので、見出し数字１９が「１１」〜「１９」までは、連回り連結機構３３が動作することなく、選択摘み１７による見出し数字１９の順次選択動作を行うことができる。
【００４３】
さらに、見出し数字１９が「１９」から「２０」に切り替わる際には、上述の「９」から「１０」に切り替わる際の桁上げ下げ用突出台部３１、連回り連結機構３３および周方向連結凹部３４の連結動作および解除動作が繰り返され、以降の連番も同様に選択することができる。
【００４４】
かくして、第一桁（一の位）の見出し輪３２を選択摘み１７により回転操作する動作のみにより、第二桁（十の位）の見出し輪３２Ａも、連続番号順に切り替えることができ、位の桁上げ操作を自動的に行って、ラベル片１２への印字用の連続番号の選択操作を作業性よく行うことができる。
【００４５】
なお、十の位から一の位に見出し数字１９を桁下げする操作においても、連回り連結機構３３、周方向連結凹部３４および桁上げ下げ用突出台部３１の連結動作により、記述の動作と同様にして、連続番号を桁下げてゆくことができる。
【００４６】
（変形例）
上述した実施例では、桁上げ下げ用突出台部３１の干渉を逃げる溝２３を第一桁の見出し輪３２に設けた例を示した。これに限らず、たとえば、当接端面部材４０の一部を印字器フレーム１４側へ突出させてもよい。
図１２は、変形例を示す斜視図であり、図１０と同様な方向から第一桁の見出し輪３２を見た斜視図である。
なお、前述した実施例と同様の機能を果たす部分には、同一の符号を付して、重複する説明を適宜省略する。
【００４７】
変形例の当接端面部材４０には、突出当接部４０ａが印字器フレーム１４側へ突出している。また、上述した実施例において設けられていた溝２３は、第一桁の見出し輪３２に形成されていない。そして、印字器フレーム１４および桁上げ下げ用突出台部３１は、図１中に一点鎖線で示した位置に配置されている。
したがって、大部分の範囲では、第一桁の見出し輪３２は、桁上げ下げ用突出台部３１と干渉することなく回転することができる。また、突出当接部４０ａが桁上げ下げ用突出台部３１と当たる位置にあるとき、すなわち、一の位の見出し数字１９の「９」から「１０」に移行するときには、突出当接部４０ａが桁上げ下げ用突出台部３１により第二桁の見出し輪３２Ａ側へ押し込まれる。よって、上述した実施例の場合と同様に、連回り連結機構３３が作用できる。
【符号の説明】
【００４８】
１  携帯式ラベル印字貼付け機（従来、図７）
２  側板
３  グリップ
４  操作レバー
５  圧縮スプリング
６  ラベル連続体
７  用紙ホルダー
８  印字器
９  インキローラー
１０  貼付けローラー
１１  台紙
１２  ラベル片
１３  活字輪１６の活字
１４  印字器フレーム（図８）
１４Ａ  印字器フレーム１４のフレーム内壁面（図１、図３）
１５  見出し輪
１６  活字輪
１７  選択摘み
１８  選択窓
１９  見出し輪１５、見出し輪３２、３２Ａの見出し数字
２０  中心軸孔
２１  選択軸
２２  選択突起
２３  溝
３０  印字器（実施例、図１）
３１  桁上げ下げ用突出台部
３２  第一桁（一の位）の見出し輪（図２）
３２Ａ  第二桁（十の位）の見出し輪（図５）
３３  連回り連結機構
３４  第二桁（十の位）の見出し輪３２Ａの側面に形成した周方向連結凹部
３５  貫通軸室
３６  第１の往復動軸
３７  第２の往復動軸
３８  第１の付勢部材
３９  第２の付勢部材
４０  第１の往復動軸３６の当接端面部材
４０ａ  突出当接部
４１  第１の往復動軸３６の第１の軸部
４２  第１の往復動軸３６の第１の軸係合部
４３  第２の往復動軸３７の連結端面部材
４４  第２の往復動軸３７の第２の軸部
４５  第２の往復動軸３７の第２の軸係合部
４６  第２の往復動軸３７の係合フランジ
４７  軸停止用突条
【図１】
2013151146.tif 000003
【図２】
2013151146.tif 000004
【図３】
2013151146.tif 000005
【図４】
2013151146.tif 000006
【図５】
2013151146.tif 000007
【図６】
2013151146.tif 000008
【図７】
2013151146.tif 000009
【図８】
2013151146.tif 000010
【図９】
2013151146.tif 000011
【図１０】
2013151146.tif 000012
【図１１】
2013151146.tif 000013
【図１２】
2013151146.tif 000014